(57)【特許請求の範囲】
【請求項１】
下面が開放された箱状の本体ケース（３１）内に送風機（１９）及び熱交換器（１３）が収容されており、前記開放された面に化粧パネル（３２）が装着されており、この化粧パネル（３２）に形成された吸込口（４５）の上方に前記送風機（１９）が配設された空気調和機（１１）であって、
前記吸込口（４５）には、着脱自在の吸込グリル（４７）が取り付けられており、
前記吸込グリル（４７）を開いたときに下面に露出する位置に電装品箱（５９）が配設されており、
前記送風機（１９）を収容する送風機室（４３）を下方から覆う保護網（７１）に、前記電装品箱（５９）の蓋（７０）に設けられた係止部を引っ掛けることで当該電装品箱（５９）から外された蓋（７０）を保持することができる被係止部（７５）が設けられており、
前記保護網（７１）には、前記送風機（１９）のケーシング（１９ａ）の一部が露出可能な開口（７４）が形成されており、この開口（７４）の縁部に前記被係止部（７５）が設けられていることを特徴とする空気調和機（１１）。 
【請求項２】
前記送風機（１９）のケーシング（１９ａ）は円弧状の下面を有しており、このケーシング（１９ａ）の周方向における前記開口（７４）の縁部に被係止部（７５）が設けられている請求項１に記載の空気調和機（１１）。
【請求項３】
前記被係止部（７５）は、前記開口（７４）の縁部を構成する線状体（７１ａ）から立設された、側面視Ｌ字状部材からなる請求項１又は２に記載の空気調和機（１１）。
【請求項４】
前記Ｌ字状部材の先端縁には、当該Ｌ字状部材に係止された前記蓋（７０）の係止部の離脱を防止する凸部（７６）が形成されている請求項３に記載の空気調和機（１１）。
【請求項５】
前記被係止部（７５）は、保護網（７１）と一体成形されている請求項１〜４のいずれか一項に記載の空気調和機（１１）。
【請求項６】
前記係止部は、前記電装品箱（５９）から蓋（７０）を外すために当該蓋（７０）に設けられた取手（８０）からなる請求項１〜５のいずれか一項に記載の空気調和機。
【発明の詳細な説明】
【技術分野】
【０００１】
本発明は空気調和機に関する。さらに詳しくは、天井に配設される空気調和機内の送風機の保護網の改良に関する。
【背景技術】
【０００２】
ホテルの客室や比較的小規模の会議室などにおいて、調和空気を一方向だけから吹き出すシングルフロータイプの空気調和機（室内機）が用いられている（例えば、特許文献１〜２参照）。
【０００３】
このタイプの空気調和機は、下面が開放された箱状の本体ケース内に送風機及び熱交換器（室内熱交換器）が収容されており、前記開放された面に化粧パネルが装着されている。そして、化粧パネルに形成された吸込口から吸引された空気は前記熱交換器により熱交換され、同じく化粧パネル又は前記本体ケースの側面に形成された吹出口から室内に吹き出される。
【０００４】
前記シングルフロータイプの空気調和機のうち、熱交換器の上流側に送風機が配置されるものでは、化粧パネルの上方に送風機が配置される。前記吸込口には、送風機の吸込側に設けられたフィルタのメンテナンスなどを行うために、着脱自在の吸込グリルが装着されている。そして、メンテナンス時にユーザーやサービスマンが不意に送風機に触れるのを防ぐために、前記送風機が配設された送風機室には、当該送風機室を下方から覆う保護網が設けられている。
【０００５】
ところで、前記本体ケース内には、送風機やドレンポンプなどの駆動を制御するための電装品を収容した電装品箱が設けられており、この電装品箱は、メンテナンス性を考慮して、化粧パネル全体を取り外さなくても、吸込口の吸込グリルを開けるだけで作業可能な位置に設けられている。具体的には、吸込口の上方に配設される送風機を収容する送風機室に隣接して配設されている。そして、作業に際しては、脚立を用いて吸込口の吸込グリルを開け、ついで電装品箱の蓋を取り外し、この蓋を作業台又は床面上に置いている。この場合、取り外した蓋を作業台又は床面上に置くために、ユーザーやサービスマンは一旦脚立を降りる必要があり、作業性が悪く、又、蓋を紛失してしまう恐れもある。
【０００６】
そこで、蓋に形成された達磨状の係止孔を利用して当該蓋を電装品箱に固定する構成において、緩めた状態のねじに前記係止孔を引っ掛けることで、蓋を電装品箱の下面に吊り下げ可能にすることが提案されている（特許文献３参照）。この構成であると、脚立を降りることなく取り外した蓋を所定の場所に保持させておくことができ、又、蓋がなくなることもない。
【先行技術文献】
【特許文献】
【０００７】
【特許文献１】特開２００８−１５１４０２号公報（図４）
【特許文献２】特開２０１０−２３０２７１号公報（図１２〜１４）
【特許文献３】特許第３６１５３６６号公報（図４）
【発明の概要】
【発明が解決しようとする課題】
【０００８】
しかし、蓋を電装品箱に引っ掛ける場合、電装品箱の極近傍に蓋が存在することから、当該電装品箱内の制御基板などの点検や交換を行う際に、ぶら下がった状態の蓋が邪魔になり、メンテナンスの作業性が悪くなる。
【０００９】
本発明は、このような事情に鑑みてなされたものであり、電装品のメンテナンスの作業性を向上させることができる空気調和機を提供することを目的としている。
【課題を解決するための手段】
【００１０】
（１）本発明の空気調和機は、下面が開放された箱状の本体ケース内に送風機及び熱交換器が収容されており、前記開放された面に化粧パネルが装着されており、この化粧パネルに形成された吸込口の上方に前記送風機が配設された空気調和機であって、
前記吸込口には、着脱自在の吸込グリルが取り付けられており、
前記吸込グリルを開いたときに下面に露出する位置に電装品箱が配設されており、
前記送風機を収容する送風機室を下方から覆う保護網に、前記電装品箱の蓋に設けられた係止部を引っ掛けることで当該電装品箱から外された蓋を保持することができる被係止部が設けられており、
前記保護網には、前記送風機のケーシングの一部が露出可能な開口が形成されており、この開口の縁部に前記被係止部が設けられていることを特徴としている。
【００１１】
本発明の空気調和機では、送風機室を下方から覆う保護網に設けられた被係止部に電装品箱の蓋の係止部を引っ掛けて保持させることができる。したがって、電装品箱内の電装品をメンテナンスするときに邪魔にならない箇所に蓋を保持させることが可能であり、当該メンテナンスの作業性を向上させることができる。
さらに、電装品箱から離れており、また、比較的目立ち易い開口に被係止部が設けられているので、電装品箱から外した蓋を、メンテナンス作業に邪魔のない箇所に簡単に保持させることができる。
【００１３】
（２）前記（１）の空気調和機において、前記送風機のケーシングは円弧状の下面を有しており、このケーシングの周方向における前記開口の縁部に被係止部が設けられていることが好ましい。この場合、円弧状のケーシングの下面に沿うようにして、蓋の係止部を被係止部に係止させることができ、蓋の被係止部への保持を簡単に行うことができる。
【００１４】
（３）前記（１）又は（２）の空気調和機において、前記被係止部は、前記開口の縁部を構成する線状体から立設された、側面視Ｌ字状部材からなることが好ましい。この場合、Ｌ字状部材の水平な面に蓋の係止部を係止させることで、簡単に蓋を保持することができる。
【００１５】
（４）前記（３）の空気調和機において、前記Ｌ字状部材の先端縁には、当該Ｌ字状部材に係止された前記蓋の係止部の離脱を防止する凸部が形成されていることが好ましい。この場合、メンテナンス作業中に不意にサービスマンが蓋に触れるなどして当該蓋がＬ字状部材から外れてしまうのを防止することができる。
【００１６】
（５）前記（１）〜（４）の空気調和機において、前記係止部は、保護網と一体成形されていることが好ましい。この場合、部品点数を減らすことができ、低コストで被係止部を設けることができる。
【００１７】
（６）前記（１）〜（５）の空気調和機において、前記係止部は、前記電装品箱から蓋を外すために当該蓋に設けられた取手からなることが好ましい。この場合、取手と係止部とを兼用させることで、部品点数を減らすことができ、コストダウンを図ることができる。
【発明の効果】
【００１８】
本発明の空気調和機によれば、電装品のメンテナンスの作業性を向上させることができる。
【図面の簡単な説明】
【００１９】
【図１】本発明の空気調和機を含む空気調和装置の構成図である。
【図２】本発明の空気調和機の一実施の形態を示す側面断面図（図３のＡ−Ａ矢視断面図）である。
【図３】空気調和機の平面説明図である。
【図４】空気調和機の正面図である。
【図５】空気調和機の底面図である。
【図６】空気調和機の側面断面図（図３のＢ−Ｂ矢視断面図）である。
【図７】本発明における電装品箱の蓋の一例の斜視説明図である。
【図８】本発明における保護網の一例が装着された送風機室を下方から見た底面説明図である。
【図９】図８に示される保護網の部分断面説明図である。
【発明を実施するための形態】
【００２０】
以下、添付図面を参照しつつ、本発明の空気調和機の実施の形態を詳細に説明する。
〔空気調和装置の概要〕
まず、本発明の空気調和機を含む空気調和機の概要について説明する。
図１は、本発明の一実施の形態に係る空気調和機を含む空気調和装置の構成図である。この空気調和装置１０は、利用側ユニットである室内機（空気調和機）１１と熱源側ユニットである室外機（空気調和機）１２とを備えている。
【００２１】
室外機１２には、圧縮機１４、四路切換弁１８、室外熱交換器１５、室外膨張弁１６等が設けられ、これらは冷媒配管２５によって接続されている。また、室外機１２には、室外送風機２０が設けられている。
室外機１２の内部冷媒回路の端末部には、ガス側閉鎖弁２２と液側閉鎖弁２３とが設けられている。ガス側閉鎖弁２２は四路切換弁１８側に配置されており、液側閉鎖弁２３は室外膨張弁１６側に配置されている。
【００２２】
室内機１１には、室内膨張弁２８及び室内熱交換器１３等が設けられている。ガス側閉鎖弁２２と室内熱交換器１３とはガス側冷媒連絡配管２４により接続され、液側閉鎖弁２３と室内膨張弁２８とは液側冷媒連絡配管２６により接続されている。
【００２３】
上記構成の空気調和装置１０において、冷房運転を行う場合には、四路切換弁１８が図１において実線で示す状態に保持される。そして、実線矢印で示すように、圧縮機１４から吐出された高温高圧のガス状冷媒は、四路切換弁１８を経て室外熱交換器１５に流入し、室外送風機２０の作動により室外空気と熱交換して凝縮・液化する。液化した冷媒は、ほぼ全開状態の室外膨張弁１６を通過し、液側冷媒連絡配管２６を通って室内機１１に流入する。室内機１１において、冷媒は、室内膨張弁２８で所定の低圧に減圧され、さらに室内熱交換器１３で室内空気と熱交換して蒸発する。そして、冷媒の蒸発によって冷却された室内空気は室内送風機１９によって室内に吹き出され、当該室内を冷房する。また、室内熱交換器１３で蒸発して気化した冷媒は、ガス側冷媒連絡配管２４を通って室外機１２に戻り、四路切換弁１８を経て圧縮機１４に吸い込まれる。
【００２４】
他方、暖房運転を行う場合には、四路切換弁１８が図１において破線で示す状態に保持される。そして、点線矢印で示すように、圧縮機１４から吐出された高温高圧のガス状冷媒は、四路切換弁１８を経て室内機１１の室内熱交換器１３に流入し、室内空気と熱交換して凝縮・液化する。冷媒の凝縮によって加熱された室内空気は、室内送風機１９によって室内に吹き出され、当該室内を暖房する。室内熱交換器１３において液化した冷媒は、ほぼ全開状態の室内膨張弁２８から液側冷媒連絡配管２６を通って室外機１２に戻る。室外機１２に戻った冷媒は、室外膨張弁１６で所定の低圧に減圧され、室外熱交換器１５において室外空気と熱交換して蒸発する。そして、室外熱交換器１５で蒸発して気化した冷媒は、四路切換弁１８を経て圧縮機１４に吸い込まれる。
【００２５】
〔空気調和機（室内機）の構成〕
図２は、空気調和装置１０の室内機１１を示す側面断面図（図３のＡ−Ａ矢視断面図）、図３は、室内機１１の平面断面図、図４は、室内機１１の正面図、図５は、室内機１１の底面図である。
本実施の形態に係る室内機１１は、室内の天井裏等に設置される天井埋込型の室内機であり、本体ケース３１、化粧パネル３２、室内送風機１９、室内熱交換器１３、ドレンパン３３等を備えている。
【００２６】
本体ケース３１は、平面視で四角形状の上壁部３５と、この上壁部３５の４辺から下方に垂下された４枚の周壁部（前壁部３６、後壁部３７、左壁部３８、右壁部３９）とから下方に開放された箱形状に形成されている。そして、本体ケース３１における下端の開口部に化粧パネル３２が取り付けられている。本体ケース３１は、図４に示されるように、天井３０の上方にある天井スラブ又は床スラブＳの下面等に吊りボルト４０を介して吊り下げられ、化粧パネル３２は、天井３０の下面に沿って配置されている。
【００２７】
図２及び図３に示されるように、本体ケース３１の内部は、仕切り板４２によって送風機室４３と熱交換室４４とに区画されている。本明細書においては、機内の空気の流れを基準として、送風機室４３側を後側、熱交換室側を前側とする。
【００２８】
化粧パネル３２は、送風機室４３の下方に吸込口４５を備え、熱交換室４４の前部側の下方に吹出口４６を備えている。吸込口４５には格子状の吸込グリル４７が取り付けられ、吹出口４６には、空気の吹出方向を調整する導風板４８が揺動可能に設けられている。
【００２９】
送風機室４３には、２台の室内送風機１９が左右方向に間隔をあけて配置されている。２台の室内送風機１９の間には電動モータ５０が配置され、この電動モータ５０によって両室内送風機１９が駆動される。本実施の形態の室内送風機１９は、略円筒形状のケーシング１９ａと、このケーシング１９ａ内に設けられた羽根車１９ｂとからなるシロッコファンである。ケーシング１９ａの側面には吸込口１９ａ１が形成され、ケーシング１９ａの前部には吐出口１９ａ２が前方に向けて突設されている。吐出口１９ａ２は、仕切り板４２に形成された開口にシールされた状態で挿入されている。
【００３０】
室内送風機１９が作動すると、室内の空気は吸込口４５から送風機室４３内に取り入れられ、ケーシング１９ａの吸込口１９ａ１に吸い込まれた後、吐出口１９ａ２から熱交換室４４に吹き出される。したがって、送風機室４３内の空間は、室内送風機１９によって空気が吸い込まれる吸込空間とされ、熱交換室４４の空間は、室内送風機１９によって空気が吹き出される吹出空間とされる。
【００３１】
熱交換室４４には、室内熱交換器１３が配置されている。室内熱交換器１３は、例えば、左右方向に所定間隔で並べて配置された多数のフィンと、このフィンを貫通するように設けられた伝熱管とを含むクロスフィン型のフィンアンドチューブ式熱交換器である。この室内熱交換器１３は、上部が前側（吹出口４６側；空気流の下流側）に位置し、かつ下部が後側（室内送風機１９側；空気流の上流側）に位置するように傾斜して配置されている。そして、室内送風機１９から熱交換室４４に吹き出された空気は、室内熱交換器１３との間で熱交換され、その後に吹出口４６から室内に吹き出される。なお、室内熱交換器１３の下方には、ドレンパン３３が設けられ、室内熱交換器１３で発生した結露水がドレンパン３３によって受け止められるようになっている。
【００３２】
ドレンパン３３は、発泡スチロール等の断熱性の高い材料によって形成されており、断熱材としても機能している。また、熱交換室４４における本体ケース３１の上壁部３５、前壁部３６、左右壁部３８，３９の内面には、それぞれ発泡スチロール等からなる断熱材５４〜５７が設けられている。
【００３３】
図６は、室内機の側面断面図（図３のＢ−Ｂ矢視断面図）である。図３及び図６に示されるように、送風機室４３の右端部には電装品ユニット５８が配置されている。この電装品ユニット５８は、電装品箱５９と、この電装品箱５９に収容された制御基板６０や端子台６１等からなる。また、熱交換室４４の右端部には、室内熱交換器１３に接続される分流器やヘッダ等の配管群６２や、ドレンポンプ６３、室内膨張弁２８、サーミスタ等の電気部品が配置されている。そして、これらの電気部品の電気配線６４は、熱交換室４４から仕切り板４２を通して電装品ユニット５８に接続されている。
【００３４】
電装品箱５９は、図７に示される蓋７０を有している。この蓋７０は、通常は、図８に示されるようにネジにより電装品箱５９に装着されている。そして、メンテナンス時には、ネジを外して、蓋７０の下面７０ａに取り付けられたリボン状の取手８０を持って当該蓋７０を下方に引き出すことで、蓋７０を電装品箱５９から取り外すことができる。
【００３５】
図６に示されるように、ドレンポンプ６３は、内蔵されたモータ（アクチュエータ）が作動することによって、ドレンパン３３に貯留された結露水を外部へ排出するものである。ドレンポンプ６３は、取付台（取付部材）６６を介して本体ケース３１の上壁部３５に取付固定されている。また、取付台６６には、フロートセンサ６５も取り付けられている。ドレンポンプ６３及びフロートセンサ６５は、連結枠６７によって１ユニットとして組み立てられている。連結枠６７には、室内膨張弁２８の電気配線６４や、サーミスタの電気配線等をガイドするガイド爪６８が一体に形成されている。このガイド爪６８によって、電気配線６４がドレンパン３３側へ垂れ下がらないように支持されている。
【００３６】
〔保護網の構成〕
図８は、本実施の形態における保護網７１が装着された送風機室４３を下方から見た底面説明図であり、図９は、同部分断面説明図である。図８では、分かり易くするために、室内送風機１９のケーシング１９ａ及び電動モータ５０は、二点鎖線で描いている。
【００３７】
保護網７１は、メンテナンス時にユーザーやサービスマンが不意に室内送風機１９や電動モータ５０などに触れるのを防ぐための部材であり、平面視長方形状の送風機室４３を下方から覆うことができるように略長方形状を呈している。保護網７１のメッシュの形状や大きさは、ユーザーやサービスマンの指や手が誤って入り込まない形状や大きさに設定されている。保護網７１は、例えばＰ．Ｐ．などの合成樹脂で作製することができる。
【００３８】
略長方形状の保護網７１の各長辺には、当該保護網７１を仕切り板４２又は後壁部３７に取り付けるための矩形状の固定片７２が３つずつ形成されている。固定片７２は、図２に示されるように、仕切り板４２の下端縁に設けられた起立片４２ａ又は後壁部３７の下端縁に設けられた起立片３７ａにネジ７３により着脱自在に取り付けられている。
【００３９】
保護網７１には、その長手方向に沿って前記室内送風機１９のケーシング１９ａの一部が露出可能な矩形状の開口７４が２箇所形成されている。そして、各開口７４の縁部に側面視Ｌ字状部材からなる被係止部７５が設けられている。より詳細には、図９に示される用に、円弧状の下面を有するケーシング１９ａの周方向における前記開口７４の縁部を構成する線状体７１ａから被係止部７５が立設されている。本実施の形態における被係止部７５は、各開口７４について２つずつ、合計４つ形成されている。１つの開口７４に対し形成された一対の被係止部７５は、図９に示されるように、Ｌ字状部材の水平部分７５ａの先端が互いに対向するように前記線状体７１ａに設けられている。本実施の形態では、Ｌ字状部材からなる被係止部７５が保護網７１と一体成形されている。これにより、部品点数を減らすことができ、低コストで被係止部７５を保護網７１に設けることができる。
【００４０】
前記Ｌ字状部材の水平部分７５ａの機内側（上側）の面７５ａ１の先端縁には、土手状の凸部７６が形成されている。
本実施の形態では、電装品のメンテナンスを行う際に取手８０を用いて取り外した電装品箱５９の蓋７０を保護網７１の被係止部７５に引っ掛けることで、当該蓋７０を保持することができる。その際、前記取手８０が、蓋７０を保護網７１に係止させる係止部として機能し、この取手８０を前記被係止部７５の面７５ａ１の先端縁に形成された凸部７６に引っ掛ける。この場合、Ｌ字状部材の水平な面７５ａ１に蓋７０の取手８０を係止させることで、簡単に蓋７５を保持することができる。また、前記凸部７６を形成することで、メンテナンス作業中に不意にサービスマンが蓋７０に触れるなどして当該蓋７０が被係止部７５から外れてしまうのを防止することができる。
【００４１】
また、本実施の形態では、Ｌ字状部材からなる被係止部７５が、円弧状のケーシング１９ａの周方向における前記開口７４の縁部に設けられているので、当該円弧状のケーシング１９ａの下面に沿うようにして、蓋７０の取手８０を被係止部７５に係止させることができ、蓋７０の保護網７１への取付作業を簡単に行うことができる。さらに、被係止部７５は、電装品箱５９から離れており、また、比較的目立ち易い開口７４に設けられているので、電装品箱５９から外した蓋７０を、メンテナンス作業に邪魔のない箇所に簡単に保持させることができる。
【００４２】
〔その他の変形例〕
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【００４３】
例えば、前述した実施の形態では、被係止部をケーシングの一部が露出可能な開口の縁部に形成しているが、電装品のメンテナンスを行うユーザーやサービスマンが手の届く範囲内であって、作業時に邪魔にならない箇所であれば、保護網の他の箇所に設けることもできる。
【００４４】
また、前述した実施の形態では、被係止部の数が４つであるが、少なくとも１つであればよく、その数に特に限定はない。
また、前述した実施の形態では、被係止部を保護網と一体に成形しているが、被係止部を保護網とは別体とし、例えば接着剤などで保護網に固定するようにしてもよい。
【００４５】
また、前述した実施の形態では、被係止部の側面形状をＬ字状としているが、蓋の係止部を係止して当該蓋を保持することができる限り、例えばＪ字状など他の形状であってもよい。
また、前述した実施の形態では、蓋の取手が、本発明における係止部としても機能しているが、取手とは別に係止部を蓋に設けることもできる。
【符号の説明】
【００４６】
１１      室内機（空気調和機）
１２      室外機（空気調和機）
１９      室内送風機（送風機）
１９ａ    ケーシング
３１      本体ケース
３２      化粧パネル
３３      ドレンパン
４３      送風機室
４５      吸込口
４６      吹出口
４７      吸込グリル
５０      電動モータ
５９      電装品箱
７０      蓋
７１      保護網
７２      固定片
７４      開口
７５      被係止部
７６      凸部
８０      取手（係止部）
【図１】
0005692136.tif 000002
【図２】
0005692136.tif 000003
【図３】
0005692136.tif 000004
【図４】
0005692136.tif 000005
【図５】
0005692136.tif 000006
【図６】
0005692136.tif 000007
【図７】
0005692136.tif 000008
【図８】
0005692136.tif 000009
【図９】
0005692136.tif 000010